(57)【特許請求の範囲】
【請求項１】
複数の天板取り付け用台座（１６）が予じめ差し込み一体化された前後一対の長辺直管（１）（１）と、左右一対の短辺直管（２）（２）と、その左右何れか一方の短辺直管（２）と両長辺直管（１）（１）とを連結一体化するための三叉コーナー管継手（３）（３）と、残る他方の短辺直管（２）と両長辺直管（１）（１）とを連結一体化するための二叉コーナー管継手（４）（４）とから、悉く同じ止めネジ（２３）を使って分解可能に組み立てられた長方形な平面輪郭形状の天板受け枠（Ｆ）と、
上記三叉コーナー管継手（３）（３）へ下方から各々差し込み一体化された前後一対の可動脚（Ｓ）（Ｓ）と、
上記二叉コーナー管継手（４）（４）を介して両長辺直管（１）（１）と連結一体化された短辺直管（２）の中間部へ、水平管部（５ａ）が差し込み固定されたＴ字形管継手（５）と、
垂立直管（１９）とその下端部に軸受け管（２０）が差し込み一体化された取付ベース（２１）とから成り、その取付ベース（２１）が室内の床面（Ｇ）へ固定使用される１本の固定脚（Ｍ）とを備え、
上記Ｔ字形管継手（５）の垂直管部（５ｂ）を固定脚（Ｍ）の垂立直管（１９）へ上方から、その垂直軸線（Ｈ−Ｈ）を中心とする旋回自在に且つ抜き差し可能に差し込み套嵌させて、
上記台座（１６）に天板（１７）が取り付け固定された天板受け枠（Ｆ）の可動脚（Ｓ）（Ｓ）を、室内コーナー個所の壁面（Ｗ）へ接近状態に寄せ付けるか、又はその壁面（Ｗ）から離れる前方へ引き出して使用できるように定めたことを特徴とする室内コーナー個所への物置き台。
【請求項２】
複数の天板取り付け用台座（１６）が予じめ差し込み一体化された前後一対の長辺直管（１）（１）と、左右一対の短辺直管（２）（２）と、その左右何れか一方の短辺直管（２）と両長辺直管（１）（１）とを連結一体化するための三叉コーナー管継手（３）（３）と、残る他方の短辺直管（２）と両長辺直管（１）（１）とを連結一体化するための二叉コーナー管継手（４）（４）とから、悉く同じ止めネジ（２３）を使って分解可能に組み立てられた長方形な平面輪郭形状の天板受け枠（Ｆ）と、
上記三叉コーナー管継手（３）（３）へ下方から各々差し込み一体化された前後一対の可動脚（Ｓ）（Ｓ）と、
上記二叉コーナー管継手（４）（４）を介して両長辺直管（１）（１）と連結一体化された短辺直管（２）の中間部へ、水平管部（５ａ）が差し込み固定されたＴ字形管継手（５）と、
Ｌ字形管継手（６）を介して連結一体化された水平直管（７）と垂立直管（８）とから成り、その水平直管（７）の取付ベース（９）が室内の壁面（Ｗ）へ固定使用される１本の固定脚（Ｍ）とを備え、
上記Ｔ字形管継手（５）の垂直管部（５ｂ）を固定脚（Ｍ）の垂立直管（８）へ上方から、その垂直軸線（Ｈ−Ｈ）を中心とする旋回自在に且つ抜き差し可能に差し込み套嵌させて、
上記台座（１６）に天板（１７）が取り付け固定された天板受け枠（Ｆ）の可動脚（Ｓ）（Ｓ）を、室内コーナー個所の壁面（Ｗ）へ接近状態に寄せ付けるか、又はその壁面（Ｗ）から離れる前方へ引き出して使用できるように定めたことを特徴とする室内コーナー個所への物置き台。
【請求項３】
各可動脚（Ｓ）（Ｓ）が垂立直管（１２）と、その下端部へ差し込み一体化された軸受け管（１３）と、その軸受け管（１３）へネジ軸（１４）を介して昇降自在に植え付けられたブレーキ付きのキャスター（１５）とから成ることを特徴とする請求項１又は２記載の室内コーナー個所への物置き台。
【発明の詳細な説明】
【技術分野】
【０００１】
本発明は主に薄型テレビ受像機やこれと接続使用する各種ＡＶ機器、大きな花瓶、装飾置き物などを、室内のコーナー個所へ便利良く据え付けるための物置き台に関する。
【背景技術】
【０００２】
一般に、テレビ受像機を対象とする物置き台は、その天板の下部に各種ＡＶ機器の収納ボックスを有し、ガラス扉によって開閉されるようになっている通例であり、例えば特開平５−３２８２６４号のようなテレビ受像機との一体感を与えたスタンドや、特開２００８−５０２７号のようなテレビ受像機の転倒を防止したディスプレー台なども提案されている。
【特許文献１】特開平５−３２８２６４号公報
【特許文献２】特開２００８−５０２７号公報
【特許文献３】実用新案登録第３０９９５１７号公報
【発明の開示】
【発明が解決しようとする課題】
【０００３】
ところが、従来の上記物置き台は一般家庭の居間やその他の室内コーナー個所へ、背後にほぼ二等辺三角形のデッドスペースを生ずる関係状態として据え付け使用されている通例であり、そのままでは室内コーナー個所の床面を電気掃除機などにより掃除し難いため、背後に接続コード類が集中していることとも相俟って、上記デッドスペースに塵埃が堆積したままの不衛生な状態に放置されやすい。
【課題を解決するための手段】
【０００４】
本発明はこのような課題を改良し、使用上の利便性を昂めるために、請求項１では複数の天板取り付け用台座が予じめ差し込み一体化された前後一対の長辺直管と、左右一対の短辺直管と、その左右何れか一方の短辺直管と両長辺直管とを連結一体化するための三叉コーナー管継手と、残る他方の短辺直管と両長辺直管とを連結一体化するための二叉コーナー管継手とから、悉く同じ止めネジを使って分解可能に組み立てられた長方形な平面輪郭形状の天板受け枠と、
【０００５】
上記三叉コーナー管継手へ下方から各々差し込み一体化された前後一対の可動脚と、
【０００６】
上記二叉コーナー管継手を介して両長辺直管と連結一体化された短辺直管の中間部へ、水平管部が差し込み固定されたＴ字形管継手と、
【０００７】
垂立直管とその下端部に軸受け管が差し込み一体化された取付ベースとから成り、その取付ベースが室内の床面へ固定使用される１本の固定脚とを備え、
【０００８】
上記Ｔ字形管継手の垂直管部を固定脚の垂立直管へ上方から、その垂直軸線を中心とする旋回自在に且つ抜き差し可能に差し込み套嵌させて、
【０００９】
上記台座に天板が取り付け固定された天板受け枠の可動脚を、室内コーナー個所の壁面へ接近状態に寄せ付けるか、又はその壁面から離れる前方へ引き出して使用できるように定めたことを特徴とする。
【００１０】
又、請求項２では複数の天板取り付け用台座が予じめ差し込み一体化された前後一対の長辺直管と、左右一対の短辺直管と、その左右何れか一方の短辺直管と両長辺直管とを連結一体化するための三叉コーナー管継手と、残る他方の短辺直管と両長辺直管とを連結一体化するための二叉コーナー管継手とから、悉く同じ止めネジを使って分解可能に組み立てられた長方形な平面輪郭形状の天板受け枠と、
【００１１】
上記三叉コーナー管継手へ下方から各々差し込み一体化された前後一対の可動脚と、
【００１２】
上記二叉コーナー管継手を介して両長辺直管と連結一体化された短辺直管の中間部へ、水平管部が差し込み固定されたＴ字形管継手と、
【００１３】
Ｌ字形管継手を介して連結一体化された水平直管と垂立直管とから成り、その水平直管の取付ベースが室内の壁面へ固定使用される１本の固定脚とを備え、
【００１４】
上記Ｔ字形管継手の垂直管部を固定脚の垂立直管へ上方から、その垂立軸線を中心とする旋回自在に且つ抜き差し可能に差し込み套嵌させて、
【００１５】
上記台座に天板が取り付け固定された天板受け枠の可動脚を、室内コーナー個所の壁面へ接近状態に寄せ付けるか、又はその壁面から離れる前方へ引き出して使用できるように定めたことを特徴とする。
【００１６】
更に、請求項３では各可動脚が垂立直管と、その下端部へ差し込み一体化された軸受け管と、その軸受け管へネジ軸を介して昇降自在に植え付けられたブレーキ付きのキャスターとから成ることを特徴とする。
【発明の効果】
【００１７】
請求項１の構成によれば、その物置き台の天板受け枠が室内の床面から一定高さだけ浮上した水平設置状態にあるため、これを動かさなくても、その床面を電気掃除機などによって支障なく掃除することができ、冒頭に述べたような室内のコーナー個所が塵埃の堆積しやすくなる不衛生を防止し得る効果がある。
【００１８】
そして、このような効果は天板受け枠の固定脚を、室内の壁面へ取り付けた請求項２の構成によって、ますます向上させることができることになる。
【００１９】
又、上記天板受け枠を室内コーナー個所の壁面へ接近する状態に寄せ付けることができるほか、これを垂直軸線の廻りに旋回させて、その壁面から離れる前方へ引き出し使用することもできるため、特にテレビ受像機を搭載した場合、これを常時希望する正面方向から視聴し得るのであり、肉眼の疲労防止や利便性に著しく優れる。
【００２０】
更に、請求項１、２の何れにあっても天板受け枠における短辺直管の中間部が固定脚の垂立直管へ、上方から抜き差し自在に差し込み套嵌されて、その垂直軸線を中心とする旋回自在に枢支されているため、その固定脚の垂立直管から逆な上方へ、天板受け枠を容易に抜き出し分解することもでき、室内の大掃除に役立つ。
【００２１】
その場合、請求項３の構成を採用するならば、天板受け枠を固定脚の垂直軸線廻りに旋回させる可動脚が、ブレーキ付きのキャスターから成るため、その旋回操作を円滑に便利良く行なえる効果がある。
【発明を実施するための最良の形態】
【００２２】
以下、図面に基いて本発明の具体的構成を詳述すると、図１〜９は本発明の第１実施形態に係る物置き台とその使用状態を示しており、（Ｆ）は薄型テレビ受像機（Ｔ）を対象とする金属製の天板受け枠であって、前後一対の長辺直管（１）（１）と左右一対の短辺直管（２）（２）並びに合計４個のコーナー管継手（３）（３）（４）（４）とから、一定の幅（Ｙ）（例えば約７５〜９０cm）と奥行（Ｘ）（例えば約３０〜３５cm）を備えた平面視の長方形に組み立てられている。
【００２３】
つまり、左右何れか一方（図例では室内のコーナー個所に接近した右側）の短辺直管（２）と前後一対の長辺直管（１）（１）とが、ほぼＹ字形の三叉コーナー管継手（３）（３）を介して連結一体化されているに比し、残る他方（図例の左側）の短辺直管（２）と両長辺直管（１）（１）とは、上記三叉コーナー管継手（３）（３）と別異なＬ字形の二叉コーナー管継手（４）（４）を介して連結一体化されているのである。
【００２４】
そして、上記左側短辺直管（２）の中間部には別個なＴ字形管継手（５）の水平管部（５ａ）が差し込み固定されており、その管継手（５）の垂直管部（５ｂ）が垂下する状態にある。（Ｍ）は同じく左側短辺直管（２）を支持する１本の固定脚であって、Ｌ字形管継手（６）を介して連結一体化された水平直管（７）と垂立直管（８）とから成り、その水平直管（７）の取付ベース（９）が室内の壁面（Ｗ）へ複数のボルト（１０）によって固定されていると共に、上記Ｔ字形管継手（５）の垂直管部（５ｂ）が固定脚（Ｍ）の垂立直管（８）へ上方から、その垂直軸線（Ｈ−Ｈ）を中心とする旋回自在に差し込み套嵌された枢支連結状態にある。（１１）は上記取付ベース（９）の軸受け管であり、固定脚（Ｍ）の水平直管（７）へ差し込み一体化されている。
【００２５】
他方、（Ｓ）（Ｓ）は上記右側の短辺直管（２）を支持する前後一対の可動脚であって、何れも垂立直管（１２）とその下端部へ差し込み一体化された軸受け管（１３）並びにその軸受け管（１３）へネジ軸（１４）を介して昇降自在に植え付けられたブレーキ付きのキャスター（１５）とから成り、その可動脚（Ｓ）（Ｓ）の垂立直管（１２）が上記天板受け枠（Ｆ）の三叉コーナー管継手（３）へ下方から差し込み一体化されており、天板受け枠（Ｆ）を室内の床面（Ｇ）から一定高さ（Ｚ）（例えば約４０〜４５cm）だけ浮上した水平な設置状態に保っている。
【００２６】
そのため、上記天板受け枠（Ｆ）はその固定脚（Ｍ）の垂直軸線（Ｈ−Ｈ）を中心として旋回し、その可動脚（Ｓ）（Ｓ）を図１〜８のような室内コーナー個所の壁面（Ｗ）へ、接近させるように寄せ付けたり、又図７、９のように室内コーナー個所の壁面（Ｗ）から離す如く、前方へ引き出したりして使用することができる。又、天板受け枠（Ｆ）の左側短辺直管（２）はＴ字形の管継手（５）を介して、固定脚（Ｍ）の垂立直管（８）へ差し込み套嵌されているにとどまり、固定されていないため、その固定脚（Ｍ）から上方へ抜き出すことも可能である。
【００２７】
その場合、上記天板受け枠（Ｆ）を形作る長辺直管（１）（１）の中途部には、天板取り付け用台座（１６）の複数が予じめ差し込み一体化されているため、その台座（１６）に天板（１７）を固定して、その天板（１７）へ薄型テレビ受像機（Ｔ）を搭載すれば良い。テレビ受像機（Ｔ）に代る大きな花瓶や各種室内装飾品などを搭載することも勿論あり得る
【００２８】
この点、図示の実施形態では上記天板（１７）をＡＶ機器（１８）の収納ケースとして作成し、その内部へ収納したＶＴＲやＢＳチューナー、ＤＶＤなどの各種ＡＶ機器（１８）を、上記テレビ受像機（Ｔ）と接続使用するようになっている。
【００２９】
次に、図１０〜１８は本発明の第２実施形態に係る物置き台を示しており、これでは天板受け枠（Ｆ）の固定脚（Ｍ）を室内の床面（Ｇ）から一体的に垂立させ、２本の可動脚（Ｓ）（Ｓ）と相俟って一定高さ（Ｚ）だけ浮上した安定な水平設置状態に支持している。
【００３０】
つまり、天板受け枠（Ｆ）の固定脚（Ｍ）を可動脚（Ｓ）（Ｓ）と同様な垂立直管（１９）と、その下端部に軸受け管（２０）が差し込み一体化された取付ベース（２１）とから形作り、その取付ベース（２１）を複数のボルト（２２）によって、室内の床面（Ｇ）へ固定している。
【００３１】
その場合でも先の第１実施形態と同じく、天板受け枠（Ｆ）における左側短辺直管（２）の中間部はＴ字形の管継手（５）を介して固定脚（Ｍ）へ、その垂直軸線（Ｈ−Ｈ）廻りの旋回自在に差し込み套嵌された枢支連結状態にある。
【００３２】
そのため、図７、９と対応する図１６、１８から明白なように天板受け枠（Ｆ）を旋回させて、その可動脚（Ｓ）（Ｓ）が室内コーナー個所の壁面（Ｗ）へ接近する寄せ付け状態や、同じく可動脚（Ｓ）（Ｓ）が上記壁面（Ｗ）から離れる前方へ引き出した状態として、便利良く使用することができる。
【００３３】
尚、第２実施形態におけるその他の構成は上記第１実施形態と実質的に同一であるため、その図１０〜１８に図１〜９との対応符号を記入するにとどめて、その詳細な説明を省略する。
【００３４】
上記第１、２実施形態では、天板受け枠（Ｆ）の長辺直管（１）（１）や短辺直管（２）（２）と、そのコーナー管継手（３）（３）（４）（４）との組立を初め、その三叉コーナー管継手（３）と可動脚（Ｓ）（Ｓ）との組立や、左右何れか一方の短辺直管（２）とＴ字形管継手（５）との組立などに、悉く同じ６角穴付きの止めネジ（２３）を使用して、その分解も行なえるようになっている。
【００３５】
そのため、上記長辺直管（１）（１）や短辺直管（２）（２）の長さによって、長方形な天板受け枠（Ｆ）の大きさを変えたり、又可動脚（Ｓ）（Ｓ）のネジ軸（１４）によって天板受け枠（Ｆ）の据え付け高さ（Ｚ）を変えたりすることができ、著しく便利である。
【００３６】
更に、上記第１、２実施形態の物置き台では天板受け枠（Ｆ）における左側短辺直管（２）の中間部を、その固定脚（Ｍ）の垂立直管（８）（１９）へ旋回自在に枢支連結しているが、逆に右側短辺直管（２）の中間部を同じく固定脚（Ｍ）の垂立直管（８）（１９）へ旋回自在に枢支連結して、その所謂左勝手と右勝手との仕様変更を行なえることは、言うまでもない。
【００３７】
何れにしても、本発明の物置き台は上記構成を具備しているため、その天板受け枠（Ｆ）の可動脚（Ｓ）（Ｓ）が室内コーナー個所の壁面（Ｗ）へ接近する片寄せ状態となるように、上記天板受け枠（Ｆ）の固定脚（Ｍ）を壁面（Ｗ）又は床面（Ｇ）へ取り付け固定することにより、室内を極力広く使用することができる。
【００３８】
その場合、天板受け枠（Ｆ）の一定幅（Ｙ）を約７５〜９０cmに寸法化するならば、壁面（Ｗ）に既設の間柱と対応位置して、その固定脚（Ｍ）を壁面（Ｗ）へ容易に正しく取り付け施工できるほか、隣接室との開閉口や窓口などと干渉することなく、その物置き台を室内のコーナー個所へコンパクトに納め得る効果もある。
【００３９】
又、このような据え付け状態から固定脚（Ｍ）の垂直軸線（Ｈ−Ｈ）を中心として、その天板受け枠（Ｆ）を旋回させ、上記可動脚（Ｓ）（Ｓ）が室内コーナー個所の壁面（Ｗ）から離れる前方へ引き出し使用することにより、これに搭載したテレビ受像機（Ｔ）を真正面から視聴することができ、その方向性を希望通りに変え得る利便性がある。
【００４０】
そして、このような使用状態においても、室内コーナー個所の床面（Ｇ）を電気掃除機などによって、容易に支障なく掃除することができるため、背後に生成する二等辺三角形のデッドスペースへ、塵埃の堆積するおそれがなく、室内の衛生効果に役立つ。
【００４１】
その場合、上記天板受け枠（Ｆ）の奥行（Ｘ）を約３０〜３５cmに設定するならば、薄型テレビ受像機（Ｔ）をそのインチ数の大小変化に拘らず、安定裡に搭載することができ、汎用性に優れる。
【００４２】
又、同じく天板受け枠（Ｆ）の据え付け高さ（Ｚ）を約４０〜４５cmに設定するならば、テレビ受像機（Ｔ）を肉眼の疲れなく視聴することに役立つ。
【図面の簡単な説明】
【００４３】
【図１】本発明に係る物置き台の第１実施形態を示す斜面図である。
【図２】図１の平面図である。
【図３】図２の側面図である。
【図４】図２の正面図である。
【図５】図２の５−５線断面図である。
【図６】図４の６−６線断面図である。
【図７】天板受け枠の旋回状態を示す図２に対応する平面図である。
【図８】図１に薄型テレビ受像機が搭載された使用状態を示す斜面図である。
【図９】壁面から天板受け枠を引き出した使用状態を示す図８に対応する斜面図である。
【図１０】本発明に係る物置き台の第２実施形態を示す斜面図である。
【図１１】図１０の平面図である。
【図１２】図１１の側面図である。
【図１３】図１１の正面図である。
【図１４】図１１の１４−１４線断面図である。
【図１５】図１３の１５−１５線断面図である。
【図１６】天板受け枠の旋回状態を示す図１１に対応する平面図である。
【図１７】図１０に薄型テレビ受像機が搭載された使用状態を示す斜面図である。
【図１８】壁面から天板受け枠を引き出した使用状態を示す図１７に対応する斜面図である。
【符号の説明】
【００４４】
（１）・長辺直管
（２）・短辺直管
（３）・三叉コーナー管継手
（４）・二叉コーナー管継手
（５）・Ｔ字形管継手
（５ａ）・水平管部
（５ｂ）・垂直管部
（６）・Ｌ字形管継手
（７）・水平直管
（８）・垂立直管
（９）・取付ベース
（１０）・ボルト
（１１）（１３）（２０）（２６）・軸受け管
（１２）・垂立直管
（１４）・ネジ軸
（１５）・ブレーキ付きキャスター
（１６）・天板取り付け用台座
（１７）・天板
（１８）・ＡＶ機器
（１９）・垂立直管
（２１）・取付ベース
（２２）・ボルト
（２３）・６角穴付きの止めネジ
（２４）・壁板
（２５）・取付ベース
（Ｆ）・天板受け枠
（Ｇ）・床面
（Ｍ）・固定脚
（Ｓ）・可動脚
（Ｔ）・薄型テレビ受像機
（Ｗ）・壁面
（Ｘ）・奥行
（Ｙ）・幅
（Ｚ）・高さ
（Ｈ−Ｈ）・垂直軸線
【図１】
0004659854.tif 000002
【図２】
0004659854.tif 000003
【図３】
0004659854.tif 000004
【図４】
0004659854.tif 000005
【図５】
0004659854.tif 000006
【図６】
0004659854.tif 000007
【図７】
0004659854.tif 000008
【図８】
0004659854.tif 000009
【図９】
0004659854.tif 000010
【図１０】
0004659854.tif 000011
【図１１】
0004659854.tif 000012
【図１２】
0004659854.tif 000013
【図１３】
0004659854.tif 000014
【図１４】
0004659854.tif 000015
【図１５】
0004659854.tif 000016
【図１６】
0004659854.tif 000017
【図１７】
0004659854.tif 000018
【図１８】
0004659854.tif 000019